(57)【要約】【課題】  自由な持ち方や撮像姿勢で撮像できながら、利便性や操作性、さらには視認性も向上させることができる撮像表示装置を提供する。【解決手段】  撮像レンズ１を含む第１の撮像部が設けられた本体２と、この本体２に対してヒンジ機構を介して折り畳み自在に設けられた表示部３と、本体２に対して回動可能に取り付けられた回動体４と、回動体４において互いに反対となる向きに配設された撮像レンズ５を含む第２の撮像部とトラックボール６や十字ボタン７などの操作部とを備えた。これにより、第２の撮像部が本体２に対して回動可能に取り付けられているので、この第２の撮像部を用いて自由な撮像姿勢や持ち方、撮像角度で撮像できる。【選択図】    図８
2006091598.tif 000002
【特許請求の範囲】
【請求項１】
第１の撮像部が設けられた本体と、
前記本体に対してヒンジ機構を介して折り畳み自在に設けられた表示部と、
前記本体に対して回動可能に取り付けられた回動体と、
回動体において互いに反対となる向きに配設された第２の撮像部と操作部と
を備えた撮像表示装置。
【請求項２】
全体形状が略箱型形状とされ、上部前面側に第１の撮像部が配設され、上部背面側に回動体が配設された
請求項１記載の撮像表示装置。
【請求項３】
本体における第１の撮像部が設けられている箇所の背面部分で、第２の撮像部の撮像面を覆うことが可能に構成された
請求項２記載の撮像表示装置。
【発明の詳細な説明】
【技術分野】
【０００１】
本発明は、撮像部と表示部とを有する撮像表示装置に関する。
【背景技術】
【０００２】
撮像した動画や静止画を記録するとともにこれらの記録情報などを表示部に表示させて見ることができる撮像表示装置は既に知られている。この種の撮像表示装置として、記録中や記録済みの画像を表示する液晶画面などからなる表示部を、見易い角度に変更できるように回転可能に構成したものが特許文献１等に開示されている。
【０００３】
この特許文献１に開示された撮像表示装置は、図１２〜図１４に示すように、撮像部としてのレンズ５１等を略箱型形状の本体５０の上部前面側に配設しているとともに、本体５０の片側（図面においては左側）の側面上部に、液晶画面などからなる表示部５２を沿わせた姿勢に折り畳んで収納可能に配設している。また、本体５０における表示部５２が配設されている面の後辺部分には、この後辺部分に沿うように上下に延びる第１の回動軸５３と、この第１の回動軸５３と直交するように左右方向に延びる第２の回動軸５４（回動軸心のみを図示する）とを設けた二軸ヒンジ機構を備えており、これらの第１、第２の回動軸５３、５４を中心として表示部５２を回転することで、この表示部５２を見易い角度に変更できるようになっている。
【０００４】
また、本体５０の背面部には、表示部５２を用いない状態で撮像する場合に用いられるビューファインダ５６と、撮像時や画像表示時にズーム処理を行うためのズームレバー５７と、撮像の開始、停止などを行うためのスタート・ストップボタン５８とが配設されている。さらに、本体５０における表示部５２の収納箇所の下方にはバッテリ５９が装着され、また、本体５０におけるバッテリ５９の装着箇所の上方位置（表示部５２を折り畳んだ際に、本体５０における表示部５２と対向する箇所）には、画像の早送りなどを行う複数の操作ボタン５５ａ〜５５ｄ（図１４参照）が配設されている。
【０００５】
この構成において、撮像対象を撮像する場合には、図１２に示すように表示部５２を本体５０に沿わせた折り畳み状態（基本姿勢と称す）から、図１３に示すように、第１の回動軸５３を中心に表示部５２を後方（ａ方向）に略９０度回転させて本体５０から起立させた後、さらに、表示部５２を第２の回動軸５４回り（ｂ方向）に所望の角度回転させることで、右手などで本体５０を持った状態で、表示部５２の表示画面を見やすい状態に調整しながら撮像することができる。なお、図１４は、この撮像表示装置をレンズ５１側から見た斜視図である。
【特許文献１】特開２００３−３３８９７４号公報
【発明の開示】
【発明が解決しようとする課題】
【０００６】
しかしながら、上記従来構成の撮像表示装置によれば、撮像部としてのレンズ５１や操作部（操作ボタン５５ａ〜５５ｄやスタート・ストップボタン５８など）が、一般の撮像対象を撮像する場合に特に適しているように所定位置に固定されているので、本体５０に対する持ち方や撮像対象に対する本体５０の向きなどもある程度限定されてしまう。
【０００７】
また、自分自身を撮影したり、静止画を撮影したりと様々な用途に用いる場合に、必ずしも適している形態とは言い難かった。
本発明は上記課題などを解決するもので、自由な持ち方や撮像姿勢で撮像できながら、利便性や操作性、さらには視認性も向上させることができる撮像表示装置を提供することを目的とするものである。
【課題を解決するための手段】
【０００８】
上記課題を解決するために本発明の撮像表示装置は、第１の撮像部が設けられた本体と、前記本体に対してヒンジ機構を介して折り畳み自在に設けられた表示部と、前記本体に対して回動可能に取り付けられた回動体と、回動体において互いに反対となる向きに配設された第２の撮像部と操作部とを備えたことを特徴とする。
【０００９】
この構成によれば、第１の撮像部に加えて第２の撮像部が設けられ、さらにこの第２の撮像部が本体に対して回動可能に取り付けられているので、前記第２の撮像部を用いて自由な撮像姿勢や持ち方、撮像角度で撮像できる。また、本体に対する持ち方を変えなくても第２の撮像部を回動させることで、撮像姿勢や撮像角度を変更することが可能となる。また、本体に対して操作部も回動可能に取り付けられているので、本体に対する持ち方を変更した場合でも、その持ち方に適する角度に操作部を回動させることで良好な操作性を得ることが可能となる。さらに、適した角度に第２の撮像部を回動させることにより、表示部を折り畳んだ状態のままでも、表示部を見ながら第２の撮像部により撮像することが可能となり、この結果、本体から起立させた表示部の表示画面が本体により隠れてしまって視認性が低下する不具合が生じなくなる。
【００１０】
また、本発明の撮像表示装置は、全体形状が略箱型形状とされ、上部前面側に第１の撮像部が配設され、上部背面側に回動体が配設されたことを特徴とし、これによれば、回動体が出っ張った姿勢とならずに配置できて、回動体に撮影者等の衣服などが引っかかることを防止できる。また、撮像表示装置の上部に、第１の撮像部だけでなく、第２の撮像部も配設されているので、撮像表示装置の本体中央部を撮影者等が持った際に、撮影者等の指で第１、第２の撮像部を誤って覆ってしまうことを最小限に抑えることができる。
【００１１】
また、本発明の撮像表示装置は、本体における第１の撮像部が設けられている箇所の背面部分で、第２の撮像部の撮像面を覆うことが可能に構成されたことを特徴とし、これによれば、第１の撮像部が設けられている箇所の背面部分で、第２の撮像部の撮像面を覆うように位置させることで、第２の撮像部が保護され、第２の撮像部のレンズカバーなどを別途に設けなくても済む。
【発明の効果】
【００１２】
以上のように本発明によれば、第１の撮像部とは別に第２の撮像部を設けて、この第２の撮像部を用いて撮像したり、さらにはこの第２の撮像部を回動させたりすることで、自由な撮像姿勢や持ち方、撮像角度で撮像できて利便性が向上する。また、本体に対して操作部も回動可能に取り付けられているので、本体に対する持ち方を変更した場合でも、その持ち方に適する角度に操作部を回動させることで良好な操作性を得ることが可能となる。さらに、適した角度に第２の撮像部を回動させることにより、表示部を折り畳んだ状態のままでも、表示部を見ながら第２の撮像部により撮像することが可能となり、この結果、本体から起立させた表示部の表示画面が本体により隠れてしまって視認性が低下する不具合が生じなくなり、良好な視認性を維持できる。また、回動体において互いに反対となる向きに第２の撮像部と操作部とを配設したので、第２の撮像部と操作部とをそれぞれ個別に回動できる２つの回動体に分けて設けた場合と比較して、構造が簡単となって製造コストを低減することができるとともに、設置スペースを最小限に抑えることができる利点もある。
【００１３】
また、上部前面側に第１の撮像部を、また、上部背面側に回動体を配設したことにより、回動体が出っ張った姿勢とならずに配置できて、回動体に撮影者等の衣服などが引っかかることを防止できるとともに、回動体の第２の撮像部や操作部が損傷することも防止できる。また、撮像表示装置の本体中央部を撮影者等が持った際に、撮影者等の指で第１、第２の撮像部を誤って覆ってしまうことを最小限に抑えることができ、これに起因する撮影ミスも生じ難くなる。
【００１４】
また、本体における第１の撮像部が設けられている箇所の背面部分で、第２の撮像部の撮像面を覆うことが可能に構成することで、第１の撮像部が設けられている箇所の背面部分を利用しながら、第２の撮像部を保護して、この第２の撮像部の撮像レンズなどの損傷を防止できて、信頼性を向上できる。また、このような保護のための操作を回動体の回動動作だけで行うことができるので、操作性も良好であり、さらに、第２の撮像部のレンズカバーなどを別途に設けなくても済んで、製造コストの増加を抑えることができる。
【発明を実施するための最良の形態】
【００１５】
以下、本発明の実施の形態を図面に基づき説明する。
図１は本発明の実施の形態にかかる撮像表示装置の正面図、図２は同撮像表示装置の背面図、図３は同撮像表示装置の左側面図、図４は同撮像表示装置の斜視図である。なお、以下においての各部の配置は、理解しやすいように、図１〜図４に示す状態を基本姿勢として述べているが、当然ながら、いろいろな向きで使用可能である。
【００１６】
図１〜図４に示すように、撮像表示装置は、前方に臨む撮像レンズ１を含めた第１の撮像部が上部前側からその後方にかけて内蔵されているとともに図示しない記録媒体も内蔵可能とされた略矩形形状の本体２と、撮像した画像などを液晶などの表示画面３ａにより表示可能で、後述する二軸ヒンジ機構を介して、本体２に沿う折り畳み姿勢と本体２から起立する起立姿勢とにわたって折り畳み自在に設けられた表示部３と、本体２に対して縦軸心４ｂの回動軸４ａ（図３参照）を中心に回動可能に取り付けられた略円柱形状の回動体４とを備えている。そして、回動体４の互いに反対（前後または左右に反対となる）側となる向きの面に、撮像レンズ５を含めた第２の撮像部と、押圧機能付きで回転自在のトラックボール６および上下左右などに押圧可能な十字ボタン７からなる操作部とが設けられている。
【００１７】
本体２における上部中央の外周には、略無底円筒形状の回転筒状部８が前後方向に沿う横軸心８ａを中心として回転可能に取り付けられ、さらに、この回転筒状部８の一部に回転軸心９ａを中心として回転自在に組み付けられた回転支持軸９に表示部３がその所定の辺の中央部分で取り付けられている。そして、これらの回転筒状部８と回転支持軸９とにより前記二軸ヒンジ機構が構成されており、表示部３は、横軸心８ａを中心として９０度以上回転可能であり（図１においては、折り畳み位置を実線で示し、この折り畳み位置から９０度回転した状態を仮想線で示している）、かつ、回転支持軸９の回転軸心９ａを中心に３６０度回転自在である。なお、図示しないが、回転筒状部８における回転支持軸９の近傍箇所には、表示部３の回転角度や姿勢を検知するセンサが内蔵されており、表示部３の回転角度や姿勢に応じて、表示画面３ａの表示の向きが自動的に切り替わるようになっている。また、回転筒状部８の回転姿勢を検知するセンサも本体２に内蔵され、この回転筒状部８の回転角度や姿勢に応じても、表示画面３ａの表示の向きが自動的に切り替わるようになっている。
【００１８】
前記回動体４は基本姿勢では図３、図４などに示されているように、撮像レンズ５が前側に位置して、本体２における上部中央部分の背面で覆われるように配置されている一方、トラックボール６および十字ボタン７は背面に配置され、自由に操作できるようになっている。なお、本体２における回動体４に臨む背面箇所は球面状に少し窪んだ形状とされ、回動体４を回動させても本体２と干渉しないようになっている。
【００１９】
図２、図４などに示すように、本体２の背面には、撮像レンズ１を含む第１の撮像部のズーム倍率を調整するズームレバー１１や、電源のＯＮ・ＯＦＦを行う電源スイッチ１２が設けられているとともに、本体２における背面上部左側箇所には、動画撮像時の開始・終了指示や静止画像撮像時のシャッタとして用いられる記録・停止ボタン１３が背面側に突出するように設けられ、また、記録・停止ボタン１３の近傍箇所にはいろいろなメニュー表示を表示させるためのメニューボタン１４が設けられている。
【００２０】
さらに、本体２の下部には、撮像表示装置全体を立てたり、傾斜姿勢にしたりするためのスタンド１５がその基部１５ａを中心として揺動可能に取り付けられている。
上記構成において、撮像レンズ１を含む第１の撮像部を用いながら一般の撮像対象を撮像する場合には、図１〜図４に示すような姿勢から、図５の実線部や図１、図２の仮想線部で示すように、表示部３を横軸心８ａ（図３参照）を中心として左側方（ｃ方向：図１、図２参照）に回転させて起立させた後（なお、上方や右側方にも回転させて起立させることが可能に構成してもよい）、表示部３を回転支持軸９の回転軸心９ａを中心としてｄ方向に略９０度回転させることで、図６に示すように、表示部３の表示画面３ａを見るとともに第１の撮像部を用いながら撮像できる姿勢となる。なお、この際、持ち易くするために図６などに示すようにスタンド１５を９０度〜１８０度回動させて突出させた姿勢としてもよい。
【００２１】
また、自分自身を撮像する場合（いわゆる自分撮りする場合）には、図５に示す状態から、表示部３を回転支持軸９の回転軸心９ａを中心としてｅ方向に略９０度回転させることで、図７に示すように、前面側に表示部３の表示画面３ａが向くので、いわゆる自分撮りを行うことが可能となる。しかしながら、この場合、従来の技術で説明した撮像表示装置の場合と同様に、手のひらが自分に向くような状態で持たなければならず、持ち難くて不便であるとともに操作も行い難い。また、表示部３を起立させなければならないので、操作に慣れていない左手で持たなければならず、これにより、さらに利便性や操作性が悪くなる。
【００２２】
これに対処して、本発明の撮像表示装置では、図４に示す状態から、一時的に表示部３を起立させながら表示部３を回転支持軸９の回転軸心９ａを中心として１８０度回転した後、本体２に沿わせるように折り畳んで、図８に示すように、表示部３の表示画面３ａが外側に向いた姿勢とし、さらに、第２の撮像部の撮像レンズ５やトラックボール６などが設けられている回転体４をｆ方向に９０度回転させて図９に示すような姿勢にすることで、第２の撮像部を用いながら撮像することができる。この場合に、表示部３の表示画面３ａが撮像者の正面に位置するようにして持つことで、表示部３の表示画面３ａを良好に見ながら、自分取りすることができ、また、本体２を楽な姿勢で持つことができる。またこの際に、トラックボール６や十字ボタン７、記録停止ボタン１３なども、側面位置や、奥行方向に遠くない背面位置となるため、操作を行いやすい利点がある。さらに、表示部３が本体２に沿った正面位置となるので、従来のように本体により表示部の一部が隠れてしまって、撮影画像を確認できずに視認性が低下することがない。また、複数（例えば２人）の者が並んだ状態で自分撮りする場合でも、その中心に第２の撮像部の撮像レンズ５が向くように、回動体４を少し回動させて位置調整をするだけで、良好に撮影することができ、しかもこの場合でも視認性が良好である。
【００２３】
また、図８に示す状態から、回転体４をｇ方向に９０度回転させて、図１０に示すように、第２の撮像部の撮像レンズ５が本体２における表示部３が設けられている側と反対側に向くようにすることで、この第２の撮像部を用いながら、カメラつき携帯電話や小型デジタルカメラなどと類似した持ち方や姿勢で良好に静止画像などを撮影することができ、これにより利便性が向上する。
【００２４】
また、本体２における第１の撮像部が設けられている箇所の背面部分で、第２の撮像部の撮像レンズ５などの撮像面を覆って保護することができるように構成したので、第２の撮像部の撮像レンズ５などの損傷を防止できて信頼性を向上できるとともに、回動体４の回動だけで行うことができるので、操作性も良好であり、さらに、第２の撮像部の撮像レンズ５に対してレンズカバーなどを別途に設けなくても済んで、製造コストの増加を抑えることができる利点もある。
【００２５】
また、上記のように、撮像レンズ１を含む第１の撮像部を用いながら、本体２を持つ向きを若干変更する場合には、本体２の向きに応じて回動体４の向きを変更することで、トラックボール６や十字ボタン７の操作性を向上させることができる。
【００２６】
さらに、図１１に示すように、スタンド１５を本体２から起立させた状態でこの撮像表示装置をテーブルなどに載せることで、手を離して自立させた状態でも表示部３の表示画面３ａに表示された動画や静止画を良好に見ることができる。さらに、この表示画面３ａと同じ側にトラックボール６や十字ボタン７が位置するように回動体４の向きを変更することで、トラックボール６や十字ボタン７の操作を極めて容易に行えるようになり、良好な操作性を得ることができる。
【００２７】
また、本体２における撮像レンズ１を含む第１の撮像部が外部に臨む面（図１〜図４に示す基本姿勢では本体２の上部前面）と反対側となる箇所（同基本姿勢では本体２の上部背面）に、撮像レンズ５（第２の撮像部）やトラックボール６、十字ボタン７を備えた回動体４を配設させたので、撮像表示装置を基本姿勢にした場合だけでなく、回動体４を回動させた場合でも、回動体４が出っ張った姿勢とならず、回動体４に撮影者等の衣服などが引っかかり難い利点がある。また、これにより、回動体４の第２の撮像部や操作部（トラックボール６、十字ボタン７）が撮影者等の衣服などに引っかかって損傷することも防止できる。
【００２８】
さらに、基本姿勢において撮像表示装置の上部となる箇所に、第１の撮像部と第２の撮像部との両方が配設されているので、撮像表示装置の本体２中央を撮影者等が持った際に、撮影者等の指で第１、第２の撮像部の撮像レンズ１、５を誤って覆ってしまうことを最小限に抑えることができ、これに起因する撮影ミスも生じ難くなる。
【００２９】
また、回動体４において互いに反対となる向きに第２の撮像部と操作部としてのトラックボール６や十字ボタン７とを配設したので、第２の撮像部と、操作部（トラックボール６や十字ボタン７）とを個別に回動できるように構成した場合と比較して、構造が簡単となって製造コストを低減することができるとともに、設置スペースも最小限に抑えることができる利点がある。
【産業上の利用可能性】
【００３０】
本発明の撮像表示装置は、自由な姿勢で撮像でき、表示部をいろいろな姿勢で見ることが可能な各種の撮像表示装置に適用することが可能である。
【図面の簡単な説明】
【００３１】
【図１】本発明の実施の形態にかかる撮像表示装置の正面図
【図２】同撮像表示装置の背面図
【図３】同撮像表示装置の左側面図
【図４】同撮像表示装置の斜視図
【図５】同撮像表示装置の表示部を起立させた状態を示す斜視図
【図６】同撮像表示装置の表示部を起立させて表示画面を後側に向けた状態を示す斜視図
【図７】同撮像表示装置の表示部を起立させて表示画面を前側に向けた状態を示す斜視図
【図８】同撮像表示装置の表示画面が外側に向く姿勢で本体に沿わせた状態を示す斜視図
【図９】同撮像表示装置の第２の撮像部により自分自身を撮像する姿勢を示す斜視図
【図１０】同撮像表示装置の第２の撮像部により一般の撮像対象を撮像する姿勢を示す斜視図
【図１１】同撮像表示装置のテーブルなどに載せた状態を示す斜視図
【図１２】従来の撮像表示装置の表示部を折り畳んだ状態を示す斜視図
【図１３】同従来の撮像表示装置の撮像対象を撮像する状態を示す斜視図
【図１４】同従来の撮像表示装置の撮像対象側から見た状態を示す斜視図
【符号の説明】
【００３２】
１      撮像レンズ（第１の撮像部）
２      本体
３      表示部
３ａ    表示画面
４ａ    回動軸
４ｂ    縦軸心
４      回動体
５      撮像レンズ（第２の撮像部）
６      トラックボール（操作部）
７      十字ボタン（操作部）
８      回転筒状部
８ａ    横軸心
９      回転支持軸
９ａ    回転軸心
１１    ズームレバー
１２    電源スイッチ
１３    記録・停止ボタン
１４    メニューボタン
【図１】
2006091598.tif 000003
【図２】
2006091598.tif 000004
【図３】
2006091598.tif 000005
【図４】
2006091598.tif 000006
【図５】
2006091598.tif 000007
【図６】
2006091598.tif 000008
【図７】
2006091598.tif 000009
【図８】
2006091598.tif 000010
【図９】
2006091598.tif 000011
【図１０】
2006091598.tif 000012
【図１１】
2006091598.tif 000013
【図１２】
2006091598.tif 000014
【図１３】
2006091598.tif 000015
【図１４】
2006091598.tif 000016